(57)【要約】  空気調和機の室内機（１）は、各々が特定の動作を行うひとつ又は複数の機器と、上記のひとつ又は複数の機器を制御するサブマイクロコンピュータ（５）と、サブマイクロコンピュータ（５）を制御するメインマイクロコンピュータ（６）とを有する。上記のひとつ又は複数の機器の各々について、空気調和機の室内機（１）が運転しているときにサブマイクロコンピュータ（５）から出力される電気信号のレベルが固定されたレベルになるタイミングが存在する。サブマイクロコンピュータ（５）は、上記のひとつ又は複数の機器のすべてについて、固定されたレベルの電気信号を出力する場合、消費電力を抑制しないモードである通常モードでなく、消費電力を抑制するモードである低消費電力モードで動作する。
2021048926.tif 000002
【特許請求の範囲】
【請求項１】
空気調和を行う空気調和機の室内機であって、
各々が特定の動作を行うひとつ又は複数の機器と、
前記ひとつ又は複数の機器を制御するサブマイクロコンピュータと、
前記サブマイクロコンピュータを制御するメインマイクロコンピュータとを備え、
前記ひとつ又は複数の機器の各々について、前記空気調和機の室内機が運転しているときに前記サブマイクロコンピュータから出力される電気信号のレベルが固定されたレベルになるタイミングが存在し、
前記サブマイクロコンピュータは、前記ひとつ又は複数の機器のすべてについて、固定されたレベルの電気信号を出力する場合、消費電力を抑制しないモードである通常モードでなく、消費電力を抑制するモードである低消費電力モードで動作する
空気調和機の室内機。
【請求項２】
前記メインマイクロコンピュータは、前記サブマイクロコンピュータの動作モードを前記通常モードから前記低消費電力モードに移行させるための信号である移行信号を前記サブマイクロコンピュータに送信する機能と、前記サブマイクロコンピュータの動作モードを前記低消費電力モードから前記通常モードに移行させるための信号である解除信号を前記サブマイクロコンピュータに送信する機能とを有し、
前記サブマイクロコンピュータの動作モードは、前記サブマイクロコンピュータが前記通常モードで動作しているときに前記メインマイクロコンピュータから送信された前記移行信号を受信した場合、前記通常モードから前記低消費電力モードに移行し、前記サブマイクロコンピュータが前記低消費電力モードで動作しているときに前記メインマイクロコンピュータから送信された前記解除信号を受信した場合、前記低消費電力モードから前記通常モードに移行する
請求項１に記載の空気調和機の室内機。
【請求項３】
前記サブマイクロコンピュータは、動作モードが前記通常モードから前記低消費電力モードに移行する場合、移行の後において、前記ひとつ又は複数の機器の各々の状態を移行の直前の状態に維持させる
請求項１又は２に記載の空気調和機の室内機。
【請求項４】
前記サブマイクロコンピュータの動作モードが前記低消費電力モードである場合、前記メインマイクロコンピュータは、前記サブマイクロコンピュータに信号を送信する
請求項１から３のいずれか１項に記載の空気調和機の室内機。
【発明の詳細な説明】
【技術分野】
【０００１】
本発明は、空気調和を行う空気調和機の室内機に関する。
【背景技術】
【０００２】
空気調和機に対する要求の増加により、空気調和機は、ひとつのマイクロコンピュータですべての要求を満たすことが難しくなった。そこで、特定の動作を行う機器を制御するサブマイクロコンピュータと、サブマイクロコンピュータを制御するメインマイクロコンピュータとを有する空気調和機が提案された。上記の機器の例は、フラップである。【０００３】
サブマイクロコンピュータとメインマイクロコンピュータとを有する空気調和機の消費電力は、ひとつのマイクロコンピュータだけを有する空気調和機の消費電力より大きい。空気調和機が停止している場合、サブマイクロコンピュータは上記の機器を動作させる必要がない。そのため、従来のサブマイクロコンピュータの電源は、空気調和機が停止している場合、オフにされている。これにより、サブマイクロコンピュータとメインマイクロコンピュータとを有する従来の空気調和機は消費電力を抑制する。【０００４】
特許文献１は、マスターとして動作するデバイスと、スレーブとして動作するデバイスとを有するマスタースレーブデバイスシステムを開示している。上記の二つのデバイスの各々は省電力制御部を有し、省電力制御部は、自らが設けられているデバイスである当該デバイスで処理すべき作業の有無と、接続先のデバイスから通知される当該デバイスに要求する作業の有無とに基づいて、当該デバイスを省電力状態に遷移させるか否かを決定する。
【先行技術文献】
【特許文献】
【０００５】
【特許文献１】特開２０１０−９２３２９号公報
【発明の概要】
【発明が解決しようとする課題】
【０００６】
しかしながら、従来、サブマイクロコンピュータとメインマイクロコンピュータとを有する空気調和機が運転している場合、サブマイクロコンピュータの電源はオフにされず、サブマイクロコンピュータの消費電力は抑制されない。空気調和機が運転している場合であっても、フラップの向きを変化させる必要がない場合がある。フラップの向きを変化させる必要がない場合、サブマイクロコンピュータからフラップに出力される電気信号のレベルは固定されたレベルになる。例えば、サブマイクロコンピュータからフラップに出力される電気信号のレベルは０Ｖになる。この場合、サブマイクロコンピュータの消費電力を抑制することが可能となる。このことから、空気調和の能力を維持しつつ消費電力を抑制するサブマイクロコンピュータを有する空気調和機の室内機が提供されることが要求されている。【０００７】
本発明は、上記に鑑みてなされたものであって、空気調和の能力を維持しつつサブマイクロコンピュータの消費電力を抑制する空気調和機の室内機を得ることを目的とする。
【課題を解決するための手段】
【０００８】
上述した課題を解決し、目的を達成するために、本発明に係る空気調和機の室内機は、空気調和を行う空気調和機の室内機であって、各々が特定の動作を行うひとつ又は複数の機器と、上記のひとつ又は複数の機器を制御するサブマイクロコンピュータと、サブマイクロコンピュータを制御するメインマイクロコンピュータとを有する。上記のひとつ又は複数の機器の各々について、空気調和機の室内機が運転しているときにサブマイクロコンピュータから出力される電気信号のレベルが固定されたレベルになるタイミングが存在する。サブマイクロコンピュータは、上記のひとつ又は複数の機器のすべてについて、固定されたレベルの電気信号を出力する場合、消費電力を抑制しないモードである通常モードでなく、消費電力を抑制するモードである低消費電力モードで動作する。
【発明の効果】
【０００９】
本発明に係る空気調和機の室内機は、空気調和の能力を維持しつつサブマイクロコンピュータの消費電力を抑制することができるという効果を奏する。
【図面の簡単な説明】
【００１０】
【図１】実施の形態に係る空気調和機の室内機の構成を示す図
【図２】実施の形態に係る空気調和機の室内機が有するメインマイクロコンピュータの一部の動作の手順を示すフローチャート
【図３】実施の形態に係る空気調和機の室内機が有するサブマイクロコンピュータの一部の動作の手順を示すフローチャート
【発明を実施するための形態】
【００１１】
以下に、本発明の実施の形態に係る空気調和機の室内機を図面に基づいて詳細に説明する。なお、この実施の形態によりこの発明が限定されるものではない。
【００１２】
実施の形態．
まず、実施の形態に係る空気調和機の室内機１の構成を説明する。図１は、実施の形態に係る空気調和機の室内機１の構成を示す図である。以下では、「空気調和機の室内機１」は「室内機１」と記載される場合がある。図１では、「空気調和機の室内機１」は「室内機１」と記載されている。
【００１３】
室内機１は、空気調和を行う装置であって、室内機１が送り出す風の向きをユーザによって指定された向きにするフラップ２を有する。例えば、フラップ２は励磁方式で動作する。室内機１は、室内機１が運転しているのか停止しているのかを示す情報をユーザに視覚的に報知するランプ３を更に有する。具体的には、ランプ３は、室内機１が運転している場合に点灯し、室内機１が停止している場合に消灯する。ランプ３は、室内機１に異常が発生した場合、点滅する。
【００１４】
室内機１は、室内機１が設置されている部屋に人が居るか否かを検出する人感センサ４を更に有する。人感センサ４は、当該部屋に人が居ることを検出した場合、当該人が居る位置を検出する。人感センサ４の例は、サーモパイル赤外線センサである。フラップ２、ランプ３及び人感センサ４の各々は、特定の動作を行う機器の例である。フラップ２、ランプ３及び人感センサ４は、各々が特定の動作を行う複数の機器の例である。
【００１５】
室内機１は、フラップ２、ランプ３及び人感センサ４を制御するサブマイクロコンピュータ５を更に有する。例えば、フラップ２の向きがユーザによって指定された向きに対応する向きになった場合、サブマイクロコンピュータ５は、Ｈｉｇｈの信号とＬｏｗの信号とのうちのＬｏｗの信号をフラップ２に出力し、フラップ２の向きを固定させる。
【００１６】
例えば、室内機１が運転している場合、サブマイクロコンピュータ５は、Ｈｉｇｈの信号とＬｏｗの信号とのうちのＨｉｇｈの信号をランプ３に出力してランプ３を点灯させる。室内機１が停止している場合、サブマイクロコンピュータ５は、Ｌｏｗの信号をランプ３に出力してランプ３を消灯させる。室内機１に異常が発生した場合、サブマイクロコンピュータ５は、ランプ３にＨｉｇｈの信号とＬｏｗの信号とを周期的に出力してランプ３を点滅させる。
【００１７】
サブマイクロコンピュータ５は、人感センサ４によって得られた検出結果を人感センサ４から取得する。人感センサ４は、ユーザが停止させることを指示した場合、停止する。フラップ２、ランプ３及び人感センサ４の各々について、室内機１が運転しているときにサブマイクロコンピュータ５から出力される電気信号のレベルが固定されたレベルになるタイミングが存在する。更に言うと、フラップ２、ランプ３及び人感センサ４の各々について、室内機１が運転しているときにサブマイクロコンピュータ５から出力される電気信号のレベルがあらかじめ決められた時間固定されたレベルになるタイミングが存在する。あらかじめ決められた時間は、サブマイクロコンピュータ５が消費する電力を抑制するか否かを判断するための時間である。
【００１８】
サブマイクロコンピュータ５は、フラップ２、ランプ３及び人感センサ４のすべてについて、固定されたレベルの電気信号を出力する場合、消費電力を抑制しないモードである通常モードでなく、消費電力を抑制するモードである低消費電力モードで動作する。例えば、サブマイクロコンピュータ５は、フラップ２、ランプ３及び人感センサ４のすべてについて、固定されたレベルの電気信号をあらかじめ決められた時間出力する場合、通常モードでなく低消費電力モードで動作する。本願では、サブマイクロコンピュータ５が固定されたレベルの電気信号を出力することは、サブマイクロコンピュータ５が０Ｖの電気信号を出力することを含む。
【００１９】
サブマイクロコンピュータ５は、動作モードが通常モードから低消費電力モードに移行する場合、移行の後において、フラップ２、ランプ３及び人感センサ４の各々の状態を移行の直前の状態に維持させる。例えば、サブマイクロコンピュータ５は、動作モードが通常モードから低消費電力モードに移行する場合、移行の後において、フラップ２の向きを移行の直前の向きに維持させ、ランプ３が点灯している場合にランプ３を点灯させ続け、ランプ３が消灯している場合にランプ３を消灯させ続け、人感センサ４を停止させ続ける。すなわち、サブマイクロコンピュータ５は、動作モードが通常モードから低消費電力モードに移行した後において、フラップ２、ランプ３及び人感センサ４のすべてについて、移行の直前のレベルの電気信号を出力する。
【００２０】
室内機１は、サブマイクロコンピュータ５を制御するメインマイクロコンピュータ６を更に有する。室内機１は、ファンを含むファンモータ７を更に有する。メインマイクロコンピュータ６は、ファンモータ７を制御することにより当該ファンの回転を制御する機能を有する。室内機１は、図示されていないリモートコントローラから送信された信号を受信する受信部８と、室内機１が設置されている部屋の温度を測定するサーミスタ９と、室内機１を動作させるのか停止させるのかをユーザに選択させるスイッチ１０とを更に有する。メインマイクロコンピュータ６は、受信部８、サーミスタ９及びスイッチ１０を常に監視する。
【００２１】
メインマイクロコンピュータ６は、室外機２０、スマートスピーカ３０及びスマートフォン４０の各々と通信を行う機能を有する。図１には、室外機２０、スマートスピーカ３０及びスマートフォン４０も示されている。スマートスピーカ３０及びスマートフォン４０は、情報通信機器の例である。つまり、メインマイクロコンピュータ６は、情報通信機器と通信を行う機能を有する。室内機１及び室外機２０はいずれも、相手方の状態を常に監視する。そのため、メインマイクロコンピュータ６は、室内機１が運転している場合、室外機２０との通信を継続して行う。室内機１及び情報通信機器はいずれも、相手方の状態を監視する。つまり、メインマイクロコンピュータ６は、室内機１が運転している場合、スマートスピーカ３０及びスマートフォン４０の各々との通信を継続して行う。
【００２２】
室内機１は、サブマイクロコンピュータ５とメインマイクロコンピュータ６とを接続する通信線であって、フラップ２を制御するための信号の伝送路となるフラップ制御通信線１１を更に有する。メインマイクロコンピュータ６は、フラップ２の動作を変化させるための信号を、フラップ制御通信線１１を介してサブマイクロコンピュータ５に送信する機能を有する。
【００２３】
サブマイクロコンピュータ５は、フラップ制御通信線１１を介してメインマイクロコンピュータ６から送信された信号を受信し、受信した信号をもとにフラップ２を制御する。サブマイクロコンピュータ５は、メインマイクロコンピュータ６から送信された信号を受信した場合、信号を受信したことを示す応答を、フラップ制御通信線１１を介してメインマイクロコンピュータ６に送信する。フラップ２が動作している場合、メインマイクロコンピュータ６とサブマイクロコンピュータ５との通信がフラップ制御通信線１１を介して継続して行われる。フラップ２が停止している場合、つまりフラップ２の向きが固定されている場合、メインマイクロコンピュータ６とサブマイクロコンピュータ５との通信は停止する。
【００２４】
室内機１は、サブマイクロコンピュータ５とメインマイクロコンピュータ６とを接続する通信線であって、ランプ３を制御するための信号の伝送路となるランプ制御通信線１２を更に有する。メインマイクロコンピュータ６は、ランプ３を点灯させるための信号又はランプ３を消灯させるための信号を、ランプ制御通信線１２を介してサブマイクロコンピュータ５に送信する。
【００２５】
サブマイクロコンピュータ５は、ランプ制御通信線１２を介してメインマイクロコンピュータ６から送信された信号を受信した場合、受信した信号をもとにランプ３を制御し、信号を受信したことを示す応答を、ランプ制御通信線１２を介してメインマイクロコンピュータ６に送信する。サブマイクロコンピュータ５及びメインマイクロコンピュータ６は、ランプ３の動作の内容にかかわらず通信を継続する。つまり、サブマイクロコンピュータ５の動作モードが低消費電力モードである場合、メインマイクロコンピュータ６は、サブマイクロコンピュータ５に信号を送信する。
【００２６】
室内機１は、サブマイクロコンピュータ５とメインマイクロコンピュータ６とを接続する通信線であって、人感センサ４を制御するための信号の伝送路となる人感センサ制御通信線１３を更に有する。メインマイクロコンピュータ６は、ユーザの指示にしたがって、人感センサ４を動作させるための信号又は人感センサ４を停止させるための信号を、人感センサ制御通信線１３を介してサブマイクロコンピュータ５に送信する。ユーザの指示は、受信部８によって受信される。サブマイクロコンピュータ５は、人感センサ制御通信線１３を介してメインマイクロコンピュータ６から送信された信号を受信した場合、信号を受信したことを示す応答を、人感センサ制御通信線１３を介してメインマイクロコンピュータ６に送信する。
【００２７】
サブマイクロコンピュータ５は、メインマイクロコンピュータ６から送信された人感センサ４を動作させるための信号を受信した場合、Ｈｉｇｈの信号とＬｏｗの信号とのうちのＨｉｇｈの信号を人感センサ４に出力して人感センサ４を動作させる。サブマイクロコンピュータ５は、メインマイクロコンピュータ６から送信された人感センサ４を停止させるための信号を受信した場合、Ｌｏｗの信号を人感センサ４に出力して人感センサ４を停止させる。
【００２８】
人感センサ４が動作している場合、サブマイクロコンピュータ５は、人感センサ４によって得られた検出結果を、人感センサ制御通信線１３を介してメインマイクロコンピュータ６に送信する。メインマイクロコンピュータ６は、サブマイクロコンピュータ５から送信された当該検出結果を受信し、当該検出結果をもとに、室内機１が送り出す風の向き及び速度の一方又は双方の制御を行う。例えば、メインマイクロコンピュータ６は、当該検出結果をもとに、フラップ２の動作を変化させるための信号を、フラップ制御通信線１１を介してサブマイクロコンピュータ５に送信する。上述のように、人感センサ制御通信線１３では、人感センサ４を動作させるための信号又は人感センサ４を停止させるための信号以外の信号の通信が行われる。
【００２９】
フラップ制御通信線１１、ランプ制御通信線１２及び人感センサ制御通信線１３の各々は、メインマイクロコンピュータ６が信号をサブマイクロコンピュータ５に送信した後にサブマイクロコンピュータ５が応答をメインマイクロコンピュータ６に送信しない場合、室内機１に異常が発生したことを検出し、室内機１に異常が発生したことを示す情報をサブマイクロコンピュータ５に送信する。サブマイクロコンピュータ５は、当該情報を受信した場合、ランプ３を点滅させる。
【００３０】
室内機１は、サブマイクロコンピュータ５とメインマイクロコンピュータ６とを接続する通信線である低消費電力制御線１４を更に有する。低消費電力制御線１４は、サブマイクロコンピュータ５の動作モードを通常モードから低消費電力モードに移行させるための信号である移行信号の伝送路である。低消費電力制御線１４は、サブマイクロコンピュータ５の動作モードを低消費電力モードから通常モードに移行させるための信号である解除信号の伝送路でもある。
【００３１】
メインマイクロコンピュータ６は、サブマイクロコンピュータ５の動作モードが通常モードであって当該動作モードを通常モードから低消費電力モードに移行させる場合、移行信号をサブマイクロコンピュータ５に送信する。メインマイクロコンピュータ６は、サブマイクロコンピュータ５の動作モードが低消費電力モードであって当該動作モードを低消費電力モードから通常モードに移行させる場合、解除信号をサブマイクロコンピュータ５に送信する。
【００３２】
例えば、メインマイクロコンピュータ６は、移行信号をサブマイクロコンピュータ５に送信する場合、Ｈｉｇｈの信号とＬｏｗの信号とのうちのＨｉｇｈの信号をサブマイクロコンピュータ５に送信する。メインマイクロコンピュータ６は、解除信号をサブマイクロコンピュータ５に送信する場合、Ｌｏｗの信号をサブマイクロコンピュータ５に送信する。
【００３３】
サブマイクロコンピュータ５の動作モードは、サブマイクロコンピュータ５が通常モードで動作しているときにメインマイクロコンピュータ６から送信された移行信号を受信した場合、通常モードから低消費電力モードに移行する。サブマイクロコンピュータ５の動作モードは、サブマイクロコンピュータ５が低消費電力モードで動作しているときにメインマイクロコンピュータ６から送信された解除信号を受信した場合、低消費電力モードから通常モードに移行する。
【００３４】
次に、実施の形態に係る空気調和機の室内機１が有するメインマイクロコンピュータ６の動作を説明する。図２は、実施の形態に係る空気調和機の室内機１が有するメインマイクロコンピュータ６の一部の動作の手順を示すフローチャートである。まず、メインマイクロコンピュータ６は、解除信号をサブマイクロコンピュータ５に送信する（Ｓ１）。サブマイクロコンピュータ５は、メインマイクロコンピュータ６から送信された解除信号を受信すると、通常モードで動作する。
【００３５】
メインマイクロコンピュータ６は、フラップ制御通信線１１における通信が停止していて、サブマイクロコンピュータ５からランプ制御通信線１２を介して応答を正常に受信していて、かつ、サブマイクロコンピュータ５から人感センサ制御通信線１３を介して応答を正常に受信しているか否かを判断する（Ｓ２）。
【００３６】
メインマイクロコンピュータ６は、フラップ制御通信線１１における通信が停止していて、ランプ制御通信線１２を介して応答を正常に受信していて、かつ、人感センサ制御通信線１３を介して応答を正常に受信していると判断した場合（Ｓ２でＹｅｓ）、フラップ２の向きの変更の要求があるか否かを判断する（Ｓ３）。具体的には、ステップＳ３において、メインマイクロコンピュータ６は、受信部８がフラップ２の向きの変更の要求を受信したか否かを判断する。
【００３７】
メインマイクロコンピュータ６は、フラップ２の向きの変更の要求がないと判断した場合（Ｓ３でＮｏ）、ランプ３の点灯又は消灯の変更の要求があるか否かを判断する（Ｓ４）。具体的には、ステップＳ４において、メインマイクロコンピュータ６は、受信部８がランプ３の点灯又は消灯の変更の要求を受信したか否かを判断する。
【００３８】
メインマイクロコンピュータ６は、ランプ３の点灯又は消灯の変更の要求がないと判断した場合（Ｓ４でＮｏ）、人感センサ４を停止させる要求があるか否かを判断する（Ｓ５）。具体的には、ステップＳ５において、メインマイクロコンピュータ６は、受信部８が人感センサ４を停止させる要求を受信したか否かを判断する。
【００３９】
メインマイクロコンピュータ６は、人感センサ４を停止させる要求があると判断した場合（Ｓ５でＹｅｓ）、サブマイクロコンピュータ５の動作モードを通常モードから低消費電力モードに移行させるための信号である移行信号を、低消費電力制御線１４を介してサブマイクロコンピュータ５に送信する（Ｓ６）。
【００４０】
メインマイクロコンピュータ６は、ステップＳ２において、フラップ制御通信線１１における通信が停止していない、ランプ制御通信線１２を介して応答を正常に受信していない、又は、人感センサ制御通信線１３を介して応答を正常に受信していないと判断した場合（Ｓ２でＮｏ）、サブマイクロコンピュータ５の動作モードを変化させるための動作を終了する。
【００４１】
メインマイクロコンピュータ６は、フラップ２の向きの変更の要求があると判断した場合（Ｓ３でＹｅｓ）、ランプ３の点灯又は消灯の変更の要求があると判断した場合（Ｓ４でＹｅｓ）、及び、人感センサ４を停止させる要求がないと判断した場合（Ｓ５でＮｏ）、サブマイクロコンピュータ５の動作モードを変化させるための動作を終了する。
【００４２】
メインマイクロコンピュータ６が移行信号を送信した後、フラップ制御通信線１１及び人感センサ制御通信線１３の各々における通信は停止し、メインマイクロコンピュータ６は、ランプ３の動作を変更させない要求を、ランプ制御通信線１２を介してサブマイクロコンピュータ５に送信し続ける。メインマイクロコンピュータ６が移行信号を送信する場合、メインマイクロコンピュータ６はランプ制御通信線１２を介して応答を受信しないが、室内機１に異常が発生したと判断されない。
【００４３】
メインマイクロコンピュータ６が移行信号を送信した後に、フラップ２の向きの変更の要求がある場合、ランプ３の点灯又は消灯の変更の要求がある場合、又は、人感センサ４を動作させる要求がある場合、メインマイクロコンピュータ６は、サブマイクロコンピュータ５の動作モードを低消費電力モードから通常モードに移行させるための信号である解除信号を、低消費電力制御線１４を介してサブマイクロコンピュータ５に送信する。
【００４４】
メインマイクロコンピュータ６が解除信号を送信した後、フラップ制御通信線１１及び人感センサ制御通信線１３の各々における通信が開始する。ランプ制御通信線１２における通信は、ランプ３の動作が変化しない場合でも継続する。
【００４５】
次に、実施の形態に係る空気調和機の室内機１が有するサブマイクロコンピュータ５の動作を説明する。図３は、実施の形態に係る空気調和機の室内機１が有するサブマイクロコンピュータ５の一部の動作の手順を示すフローチャートである。まず、サブマイクロコンピュータ５は、通常モードで動作する（Ｓ１１）。サブマイクロコンピュータ５は、フラップ２に出力される電気信号が停止中であるか否かを判断する（Ｓ１２）。
【００４６】
サブマイクロコンピュータ５は、フラップ２に出力される電気信号が停止中であると判断した場合（Ｓ１２でＹｅｓ）、ランプ３が点灯中又は消灯中であって点滅していないか否かを判断する（Ｓ１３）。すなわち、ステップＳ１３において、サブマイクロコンピュータ５は、固定されたレベルの電気信号をランプ３に出力しているか否かを判断する。サブマイクロコンピュータ５は、ランプ３が点灯中又は消灯中であって点滅していないと判断した場合（Ｓ１３でＹｅｓ）、人感センサ４に出力される電気信号が停止しているか否かを判断する（Ｓ１４）。すなわち、ステップＳ１４において、サブマイクロコンピュータ５は、固定されたレベルの電気信号を人感センサ４に出力しているか否かを判断する。
【００４７】
サブマイクロコンピュータ５は、人感センサ４に出力される電気信号が停止していると判断した場合（Ｓ１４でＹｅｓ）、メインマイクロコンピュータ６から移行信号を受信したか否かを判断する（Ｓ１５）。サブマイクロコンピュータ５は、移行信号を受信したと判断した場合（Ｓ１５でＹｅｓ）、動作モードを通常モードから低消費電力モードに移行して（Ｓ１６）、低消費電力モードで動作する。
【００４８】
サブマイクロコンピュータ５は、ステップＳ１６の動作を行った後、解除信号を受信したか否かを判断する（Ｓ１７）。サブマイクロコンピュータ５は、解除信号を受信したと判断した場合（Ｓ１７でＹｅｓ）、動作モードを低消費電力モードから通常モードに移行して、通常モードで動作する（Ｓ１８）。サブマイクロコンピュータ５は解除信号を受信していないと判断した場合（Ｓ１７でＮｏ）、ステップＳ１７の動作を行う。
【００４９】
サブマイクロコンピュータ５は、フラップ２に出力される電気信号が停止中でないと判断した場合（Ｓ１２でＮｏ）、ランプ３が点滅していると判断した場合（Ｓ１３でＮｏ）、人感センサ４に出力される電気信号が停止中でないと判断した場合（Ｓ１４でＮｏ）、又は、移行信号を受信していないと判断した場合（Ｓ１５でＮｏ）、通常モードで動作する（Ｓ１８）。
【００５０】
サブマイクロコンピュータ５は、通常モードから低消費電力モードに移行する直前にＨｉｇｈの信号とＬｏｗの信号とのうちのＬｏｗの信号を出力していた場合、低消費電力モードで動作するとき、Ｌｏｗの信号を出力する。このように、サブマイクロコンピュータ５は、低消費電力モードで動作する場合、出力ポートのレベルを保持する。
【００５１】
サブマイクロコンピュータ５は、低消費電力モードで動作する場合、通常モードから低消費電力モードに移行した直前に受信した信号が示す値を保持する。このように、サブマイクロコンピュータ５は、低消費電力モードで動作する場合、入力ポートへの入力を無効にする。サブマイクロコンピュータ５は、解除信号が低消費電力制御線１４で伝送された場合、当該解除信号を受信する。上述のサブマイクロコンピュータ５の機能により、サブマイクロコンピュータ５は、室内機１が運転する際の運転状態を維持したまま、サブマイクロコンピュータ５の消費電力を抑制することができる。
【００５２】
室内機１の図示されていない元電源がオフの状態からオンの状態に変化した場合、サブマイクロコンピュータ５はリセットされる。サブマイクロコンピュータ５がリセットされた際のサブマイクロコンピュータ５の動作モードが低消費電力モードであった場合、サブマイクロコンピュータ５がリセットされた後に、サブマイクロコンピュータ５の動作モードは低消費電力モードから通常モードに移行する。
【００５３】
サブマイクロコンピュータ５の動作モードが低消費電力モードから通常モードに移行した場合、サブマイクロコンピュータ５は、フラップ制御通信線１１、ランプ制御通信線１２及び人感センサ制御通信線１３の各々を介してメインマイクロコンピュータ６から送信される信号をもとに、フラップ２、ランプ３及び人感センサ４を制御する。
【００５４】
フラップ２、ランプ３及び人感センサ４のすべてについて固定されたレベルの電気信号が出力される場合、フラップ２、ランプ３及び人感センサ４の各々の動作を変更させるための電力を抑制することができる。実施の形態に係る空気調和機の室内機１は、フラップ２、ランプ３及び人感センサ４のすべてについて固定されたレベルの電気信号を出力する場合、消費電力を抑制しないモードである通常モードでなく、消費電力を抑制するモードである低消費電力モードで動作するサブマイクロコンピュータ５を有する。したがって、室内機１は、空気調和の能力を維持しつつサブマイクロコンピュータ５の消費電力を抑制することができる。
【００５５】
なお、室内機１は特定の動作を行う機器をひとつだけ有していてもよい。その場合、サブマイクロコンピュータ５は、当該ひとつ機器について、固定されたレベルの電気信号を出力する場合、消費電力を抑制しないモードである通常モードでなく、消費電力を抑制するモードである低消費電力モードで動作する。例えば、サブマイクロコンピュータ５は、当該ひとつ機器について、固定されたレベルの電気信号をあらかじめ決められた時間出力する場合、通常モードでなく低消費電力モードで動作する。これにより、室内機１は、空気調和の能力を維持しつつサブマイクロコンピュータ５の消費電力を抑制することができる。
【００５６】
サブマイクロコンピュータ５がメインマイクロコンピュータ６から送信された解除信号を受信した場合、又は、サブマイクロコンピュータ５がリセットされた場合、サブマイクロコンピュータ５の動作モードは低消費電力モードから通常モードに移行する。これにより、室内機１は、ユーザの指示にしたがった空気調和の能力を発揮することができる。
【００５７】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００５８】
１  空気調和機の室内機、２  フラップ、３  ランプ、４  人感センサ、５  サブマイクロコンピュータ、６  メインマイクロコンピュータ、７  ファンモータ、８  受信部、９  サーミスタ、１０  スイッチ、１１  フラップ制御通信線、１２  ランプ制御通信線、１３  人感センサ制御通信線、１４  低消費電力制御線、２０  室外機、３０  スマートスピーカ、４０  スマートフォン。
【図１】
2021048926.tif 000003
【図２】
2021048926.tif 000004
【図３】
2021048926.tif 000005
【国際調査報告】
2021048926.tif 000006
2021048926.tif 000007
2021048926.tif 000008
2021048926.tif 000009
2021048926.tif 000010
2021048926.tif 000011